(57)【要約】【課題】  取付台に形成した係合溝に機械室底部奥側のフレームに設けたストッパーを挿入して取付台後端部の浮き上がりを防止してユニットベースの振動を抑えた冷却貯蔵庫を提供する。【解決手段】  冷却貯蔵庫１は、断熱箱体５０外のフレーム５２内に機械室２を構成し、この機械室２に冷却装置の圧縮機１２及び凝縮器９などを設置する。圧縮機１２及び凝縮器９が固定された取付台８と、機械室２底部両側のフレーム５２に前後に渡って設けられた一対のレール３６と、取付台８の後端から内側に向かって形成された係合溝３２と、機械室２底部奥側のフレーム５２に設けられたストッパー３８と、このストッパー３８上部に形成された抑え部４０とを備える。取付台８の両側をレール３６に保持させ、当該取付台８の前端をフレーム５２に固定すると共に、その状態でストッパー３８は係合溝３２内に進入し、抑え部４０は取付台８上面に当接若しくは近接する。【選択図】        図６
2005180785.tif 000002
【特許請求の範囲】
【請求項１】
断熱箱体外のフレーム内に機械室を構成し、該機械室に冷却装置の圧縮機及び凝縮器を設置して成る冷却貯蔵庫において、
前記圧縮機及び凝縮器が固定された取付台と、
前記機械室底部両側のフレームに前後に渡って設けられた一対のレールと、
前記取付台の後端から内側に向かって形成された係合溝と、
前記機械室底部奥側のフレームに設けられたストッパーと、
該ストッパー上部に形成された抑え部とを備え、
前記取付台の両側を前記レールに保持させ、当該取付台の前端を前記フレームに固定すると共に、その状態で前記ストッパーは前記係合溝内に進入し、前記抑え部は前記取付台上面に当接若しくは近接することを特徴とする冷却貯蔵庫。
【請求項２】
前記係合溝は前記機械室の奥方に向けて拡開していることを特徴とする請求項１の冷却貯蔵庫。
【請求項３】
前記ストッパーは鋼板により構成され、前記抑え部は当該鋼板上部を折曲することにより形成されていることを特徴とする請求項１又は請求項２の冷却貯蔵庫。
【請求項４】
前記取付台前端は前記フレームにネジ止めされることを特徴とする請求項１、請求項２又は請求項３の冷却貯蔵庫。
【発明の詳細な説明】
【技術分野】
【０００１】
本発明は、断熱箱体外のフレーム内に設けられた機械室内に冷却装置の圧縮機及び凝縮器を設置して成る冷却貯蔵庫に関するものである。
【背景技術】
【０００２】
従来よりこの種冷却貯蔵庫は、出願人が先に出願した冷却貯蔵庫にて示している。即ち冷却貯蔵庫は例えば貯蔵室の側方に機械室を並設し、機械室内に冷却装置を構成する凝縮器及び凝縮器用送風機等を設置している。機械室内には、前方に引き出し可能に本体に固定された取付台が設けられており、この取付台上に前方より凝縮器、凝縮器用送風機、圧縮機が順次配設されていた。そして、機械室の上部には圧縮機、凝縮器等と共に冷却装置の冷凍サイクルを構成する図示しない冷却器を収納する冷却ボックスが設けられていた（特許文献１参照）。
【０００３】
【特許文献１】特開平５−３３００４６号公報
【発明の開示】
【発明が解決しようとする課題】
【０００４】
しかしながら、凝縮器、凝縮器用送風機、圧縮機などを順次配設した取付台を機械室の前部開口からフレーム内に挿入し、取付台の前端部を機械室の前方側からフレームにネジで固定していた。また、取付台の後端部を固定しないと取付台が上下に揺れて振動が発生してしまう不都合があるため、取付台の後端部近傍を機械室の上方側からフレームにネジで固定していた。このため、冷却装置のメンテナンス、或いは、故障時などには、取付台を固定している複数のネジを外さなければ成らず、取付台の着脱が面倒で煩雑となってしまう問題があった。
【課題を解決するための手段】
【０００５】
即ち、本発明の冷却貯蔵庫は、断熱箱体外のフレーム内に機械室を構成し、該機械室に冷却装置の圧縮機及び凝縮器を設置して成るものであって、圧縮機及び凝縮器が固定された取付台と、機械室底部両側のフレームに前後に渡って設けられた一対のレールと、取付台の後端から内側に向かって形成された係合溝と、機械室底部奥側のフレームに設けられたストッパーと、該ストッパー上部に形成された抑え部とを備え、取付台の両側をレールに保持させ、当該取付台の前端をフレームに固定すると共に、その状態でストッパーは係合溝内に進入し、抑え部は取付台上面に当接若しくは近接することを特徴とする。
【０００６】
また、請求項２の発明の冷却貯蔵庫は、上記において、係合溝は機械室の奥方に向けて拡開していることを特徴とする。
【０００７】
また、請求項３の発明の冷却貯蔵庫は、請求項１又は請求項２において、ストッパーは鋼板により構成され、抑え部は当該鋼板上部を折曲することにより形成されていることを特徴とする。
【０００８】
また、請求項４の発明の冷却貯蔵庫は、請求項１、請求項２又は請求項３において、取付台前端はフレームにネジ止めされることを特徴とする。
【発明の効果】
【０００９】
本発明によれば、断熱箱体外のフレーム内に機械室を構成し、この機械室に冷却装置の圧縮機及び凝縮器を設置して成る冷却貯蔵庫において、圧縮機及び凝縮器が固定された取付台と、機械室底部両側のフレームに前後に渡って設けられた一対のレールと、取付台の後端から内側に向かって形成された係合溝と、機械室底部奥側のフレームに設けられたストッパーと、このストッパー上部に形成された抑え部とを備え、取付台の両側をレールに保持させ、当該取付台の前端をフレームに固定すると共に、その状態でストッパーは係合溝内に進入し、抑え部は取付台上面に当接若しくは近接するようにしたので、取付台の設置作業が容易に行えるようになると共に、ストッパーの抑え部により取付台後端部の浮き上がりが防止されるので、振動を効果的に抑制することができるようになる。
【００１０】
請求項２の発明によれば、上記に加えて係合溝は機械室の奥方に向けて拡開しているので、取付台をレールに沿って挿入していったときに、ストッパーが円滑に係合溝内に進入できる。これにより、取付作業性が一層容易となるものである。
【００１１】
請求項３の発明によれば、上記各発明に加えてストッパーは鋼板により構成され、抑え部は当該鋼板上部を折曲することにより形成されているので、部品コストを著しく削減することが可能となるものである。
【００１２】
請求項４の発明によれば、上記各発明に加えて取付台前端はフレームにネジ止めされるので、取付台前端部の固定も確実に行われ、総じて振動抑制効果の大成るものとなる。
【発明を実施するための最良の形態】
【００１３】
本発明は、取付台の端部をフレームに固定して取付台の振動を抑えることを特徴とする。取付台の振動を抑えるという目的を取付台に形成した係合溝に機械室底部奥側のフレームに設けたストッパーを挿入して取付台の端部の浮き上がり防止することにより実現した。
【００１４】
以下、図面に基づき本発明の実施例を詳述する。図１は本発明の冷却貯蔵庫の実施例としてのアンダーカウンター型冷蔵庫１の正面図、図２はフレーム５２と断熱箱体５０との配置関係を示す冷蔵庫１の斜視図、図３はグリル７を開いた状態の機械室２部分の冷蔵庫１の斜視図、図４は図１のＡ−Ａ線断面図、図５は図４の要部拡大図、図６は図１のＢ−Ｂ線断面図である。
【００１５】
各図において３は図示しない貯蔵室を内部に形成する断熱箱体５０の前面開口を開閉自在に閉塞する断熱扉であり、４はトップテーブルである。５は冷蔵庫１の本体で前記断熱箱体５０、機械室２及びトップテーブル４等によって構成されている。前記貯蔵室の側方となる断熱箱体５０の側方にはフレーム５２が併設され、このフレーム５２内に機械室２が構成されている。この機械室２はトップテーブル４の下側に位置して前面及び下面に開口している。そして、前記機械室２の前面開口は向かって左側の上下ヒンジ６を中心として回動自在に枢支された横開き式のグリル７により開閉自在に閉塞されている。
【００１６】
この機械室２内の底部両側には一対のレール３６、３６（図６に図示）がフレーム５２の前端から後端に渡って構成されている。レール３６は、取付台８の両端を載置可能に構成されると共に、取付台８を前方に引き出し可能に構成されている。そして、取付台８上には前方より凝縮器９、凝縮器用送風機１１、圧縮機１２などが順次配設されている。
【００１７】
凝縮器用送風機１１は回転して凝縮器９側から空気を吸い込み、圧縮機１２側に吐出するもので、係る凝縮器用送風機１１及び凝縮器９の左右及び上側には風向板１３が取り付けられている。この風向板１３は前後に開放し、前端部左右は階段状に拡開して機械室２の前面開口縁に位置しており、前端上部は上方に折曲されている。取付台８の前端には機械室２の開口下縁において起立した風向板１３Ａが取り付けられている。
【００１８】
機械室２の上部には前記圧縮機１２、凝縮器９等と共に冷却装置の冷凍サイクルを構成する図示しない冷却器を収納する冷却ボックス１６が位置しており、その前側には電装箱１７やトランス２０等が取り付けられている。
【００１９】
一方、グリル７の下部には前記凝縮器９の前方に位置して吸気口２１が形成されており、この吸気口２１には内側からルーバー２２が取り付けられている。このルーバー２２の周囲枠部２２Ａの左右及び下辺は後方に張り出した後、内側に額縁状に折曲されており、それによって、グリル７内面における吸気口２１の内側には、周縁部以外の後面及び上方に開放した収納部１４が構成されている。
【００２０】
そして、この収納部１４内には矩形状のフィルター２４が着脱自在に取り付けられる。このフィルター２４は左右及び下縁部をルーバー２２の周囲枠部２２Ａに保持され、グリル７が機械室２の開口を閉じた状態で、凝縮器９の吸気側前方に位置しており、更に、フィルター２４の面積（特に幅寸法）は凝縮器９の吸気側面積よりも大きくしている。
【００２１】
また、前記収納部１４は上方に開放しているので、フィルター２４はグリル７を図３の如く開いた状態で上方に引き出し自在となる。この場合、グリル７を開けばフィルター２４も機械室２から離間するため、トランス２０等が邪魔になることもない。従って、フィルター２４を清掃・交換する際には図３中白抜き矢印で示す如くフィルター２４を上方に引き出して取り外し、清掃した後のフィルター２４、或いは新品のフィルター２４を上方から収納部１４内に差し入れる。
【００２２】
また、風向板１３及び１３Ａの前面には一連のシール材２７が取り付けられている（尚、図３ではシール材２７を削除して示す）。このシール材２７は凝縮器９の吸気側周囲に位置しており、グリル７を閉じた状態でルーバー２２の周囲枠部２２Ａ後面に当接する。これによって、グリル７と風向板１３、１３Ａ間には周囲がシール材２７の介在により閉塞され、吸気口２１から凝縮器９に至るダクト２８が形成される。
【００２３】
尚、ダクト２８の上縁においてはシール材２７は周囲枠部２２Ａではなくフィルター２４に当接或いは近接してこれらの間を閉塞する。また、２９は風向板１３前縁に取り付けられてグリル７を閉鎖状態に保持するためのキャッチャーである。
【００２４】
他方、前記電装箱１７にはフランジ１８が設けられており、このフランジ１８は後述するフレーム５２に設けた前後保持辺５６、５７の上下方向間及び前後保持辺６６、６７の上下方向間に挿入可能な形状を呈している。該フランジ１８は電装箱１７の前部から後部に渡って設けられると共に電装箱１７の上部両側から離間する方向に所定寸法延在している。両フランジ１８は所定厚さの鋼板にて構成され、電送箱１７を吊り下げ可能な強度を有している。また、電装箱１７には固定板１７Ａが設けられており、この固定板１７Ａは電装箱１７の前端に設けられると共に所定寸法上方に延在している。
【００２５】
前記フレーム５２は図７に示す如き、四隅に設けられて前後に延在する上下の左前後辺５３ＡＬ及び上下の右前後辺５３ＡＲと、前後に設けられて左右に延在する上下の左右辺５３Ｂと、左縁に設けられて上下に延在する前後の上下辺５３Ｃからなる縦長略矩形状の枠体５３にて構成されている。そして、下側の左前後辺５３ＡＬ及び右前後辺５３ＡＲの上面が前記レール３６となる。尚、フレーム５２は右側が断熱箱体５０に固定されるので、上下に延在する右縁前後の上下辺は設けていない（図２に図示）。
【００２６】
フレーム５２には前後方向に渡って延在する一対の固定部材５４、６４が設けられており、この固定部材５４、６４はフレーム５２の上側左右に設けられた左前後辺５３ＡＬ、右前後辺５３ＡＲにそれぞれ図示しないネジ或いは溶接等によって固定されている。一方の固定部材５４（図中左側）は、後部に位置してフレーム５２より内方に突出（他方の固定部材６４側に突出）する後保持辺５７と、この後保持辺５７の前側にフレーム５２より内方に突出（他方の固定部材６４側に突出）し、後保持辺５７よりも高さ方向に所定の間隔を存して下側に位置する前保持辺５６とを有している。
【００２７】
また、他方の固定部材６４（図中右側）は、後部に位置してフレーム５２より内方に突出（一方の固定部材５４側に突出）する後保持辺６７と、この後保持辺６７の前側にフレーム５２より内方に突出（一方の固定部材５４側に突出）し、後保持辺６７よりも高さ方向に所定の間隔を存して下側に位置する前保持辺６６とを有している。
【００２８】
そして、電装箱１７のフランジ１８を各固定部材５４、６４の両前保持辺５６、６６に載置した後、フレーム５２の後部側奥まで電装箱１７を移動する。電装箱１７をフレーム５２の後部側奥まで移動したら、電装箱１７前部に設けた固定板１７Ａをフレーム５２の上側に設けた左右辺５３Ｂに当接させ、左右辺５３Ｂに設けた図示しないネジ孔にネジ７０を挿入し固定する。これによって、電装箱１７は各固定部材５４、６４（両前後保持辺５６、６６及び５７、６７間）にガタ付き無く保持されると共に吊り下げられる。
【００２９】
他方、前記取付台８の後端には、図８に示すように取付台８の後端から前方に向かって延在する係合溝３２が形成されている。この係合溝３２は、取付台８の前部側に平行に切り込まれて支持溝３２Ｂが形成されると共に、この支持溝３２Ｂに連続して取付台８の後部方向に拡開する案内溝３２Ａが形成されている。即ち、係合溝３２は取付台８の後端略中央部に設けられて機械室２の奥方向に向けて案内溝３２Ａが拡開している。この案内溝３２Ａによって、後述するストッパー３８を係合溝３２内（支持溝３２Ｂ内）に案内し挿入し易くしている。尚、係合溝３２は取付台８の後端略中央部に限らず、係合溝３２は取付台８の後端であれば中央以外の箇所に設けても差し支えない。この場合、ストッパー３８は係合溝３２（支持溝３２Ｂ内）に円滑に挿入可能な位置に設けなければならないのは云うまでもない。
【００３０】
また、フレーム５２の後下の左右辺５３Ｂには鋼板にて構成され、係合溝３２に挿入可能なストッパー３８が設けられている。ストッパー３８は、挿入片４１と、この挿入片４１の上端に連続して設けられた抑え部４０と、挿入片４１の下端に連続して設けられた固定片４２とから構成されている。該挿入片４１は係合溝３２（支持溝３２Ｂ）内に挿入可能に構成されている。また、抑え部４０は挿入片４１の上端で略直角に折れ曲がって取付台８の上面側に位置して取付台８上面に当接若しくは近接して取付台８の浮きを防止する。また、固定片４２は挿入片４１の下端で抑え部４０と反対側に略直角に折れ曲がってフレーム５２に当接し、固定される。
【００３１】
即ち、ストッパー３８は縦長略矩形状の鋼板の略中央に挿入片４１が形成され、この挿入片４１の一側に連続して略直角に折曲されて固定片４２が、他側に連続して略直角に折曲されて抑え部４０が形成されると共に、固定片４２と抑え部４０とは挿入片４１を中心に相互に反対側に折曲されている（図９）。尚、４３は回り止めで、固定片４２の一側（この場合、機械室２の奥方向）に設けている。この回り止め４３はフレーム５２に当接して後述するネジ４５でストッパー３８を固定する際ストッパー３８が回転してしまうのを防止する。
【００３２】
そして、固定片４２がフレーム５２に載置され、固定片４２に設けられた図示しないネジ孔を介してネジ４５でストッパー３８をフレーム５２に固定する。このとき、挿入片４１が取付台８に設けた係合溝３２（支持溝３２Ｂ）の略中央に挿入できるフレーム５２位置にストッパー３８を固定する。尚、抑え部４０の機械室２の前方向に取付台８より離間する方向に傾斜する勾配を設けても差し支えない。この場合、取付台８の係合溝３２にストッパー３８を挿入する際、取付台８の挿入方向先端が引っ掛かってしまうのを防止し、円滑に挿入することができるので、抑え部４０を取付台８上面に隙間無く接触させることができる。これにより、取付台８後端部の浮き上がりによる振動を確実に防止することができる。
【００３３】
そして、レール３６前部に取付台８の後端（挿入方向先端）両側を載置して、取付台８をレール３６に沿って機械室２の奥方向に移動し、取付台８の後端（挿入方向前端）に設けた係合溝３２内にストッパー３８（挿入片４１）を進入させる。これによって、取付台８は両レール３６に保持される。次に、取付台８の前端（挿入方向後端）部をネジ８Ａでフレーム５２の前下の左右辺５３Ｂに固定する（図４に図示）。このとき、係合溝３２には取付台８の後部方向に拡開する案内溝３２Ａを設けているので、挿入片４１は案内溝３２Ａに案内されて容易に係合溝３２（支持溝３２Ｂ）内に進入させることができる。これによって、ストッパー３８の抑え部４０は取付台８上面に当接若しくは近接するので、取付台８後端部の浮き上がりを抑え部４０により防止することができ、取付台８の振動及び振動による騒音を効果的に抑制することができるようになる。
【００３４】
また、取付台８をレール３６に沿って機械室２の奥方向に移動するだけで、抑え部４０が取付台８の挿入方向先端部上面に当接若しくは近接させることができる。更に、取付台８に設けた係合溝３２（案内溝３２Ａ）を機械室２の奥方向に向けて拡開させているので、取付台８をレール３６に沿って挿入していったとき、ストッパー３８（挿入片４１）が取付台８端部に引っ掛かることなく係合溝３２内に円滑に進入させることができる。これにより、従来のように煩わしいネジ止め作業も無くなるので、取付台８の設置作業が容易に行えるようになると共に、取付作業性を大幅に向上することができる。
【図面の簡単な説明】
【００３５】
【図１】本発明の冷却貯蔵庫の実施例としてのアンダーカウンター型冷蔵庫の正面図である。
【図２】フレームと断熱箱体との配置関係を示す冷蔵庫の斜視図である。
【図３】グリルを開いた状態の機械室部分の冷蔵庫の斜視図である。
【図４】図１のＡ−Ａ線断面図である。
【図５】図４の要部拡大図である。
【図６】図１のＢ−Ｂ線断面図である。
【図７】フレームの斜視図である。
【図８】本発明の冷却貯蔵庫の実施例としてのアンダーカウンター型冷蔵庫の要部拡大図である。
【図９】同図８のＣ−Ｃ線断面図である
【符号の説明】
【００３６】
１  アンダーカウンター型冷蔵庫
２  機械室
５  本体
８  取付台
９  凝縮器
１２  圧縮機
１７  電装箱
１７Ａ  固定板
１８  フランジ
３２  係合溝
３２Ａ  案内溝
３２Ｂ  支持溝
３６  レール
３８  ストッパー
４０  抑え部
４１  挿入片
４２  固定片
５０  断熱箱体
【図１】
2005180785.tif 000003
【図２】
2005180785.tif 000004
【図３】
2005180785.tif 000005
【図４】
2005180785.tif 000006
【図５】
2005180785.tif 000007
【図６】
2005180785.tif 000008
【図７】
2005180785.tif 000009
【図８】
2005180785.tif 000010
【図９】
2005180785.tif 000011